(57)【要約】  本発明による光コネクタ組立体（１）は、一般に、軸線方向（ｘ）に互いに相互連結可能なプラグ（２）およびソケット（３）を備える。プラグ（２）はプラグハウジング（５）を備え、第１のフェルール（７）がプラグハウジング（５）内に配置され、ソケット（３）はソケットハウジング（２０）を備え、第２のフェルール（２３）がソケットハウジング（２０）内に配置される。【選択図】図２
2016514863.tif 000002
【特許請求の範囲】
【請求項１】
軸線方向（ｘ）に互いに相互連結可能なプラグ（２）およびソケット（３）を備える光コネクタ組立体（１）であって、
ａ．前記プラグ（２）がプラグハウジング（５）を備え、第１のフェルール（７）が前記プラグハウジング（５）内に配置されており、
ｂ．前記ソケット（３）がソケットハウジング（２０）を備え、第２のフェルール（２３）が前記ソケットハウジング（２０）内に配置されており、
ｃ．前記フェルール（７、２３）の少なくとも一方が、ばね（９、１９）の力に逆らってコネクタ軸線（４、ｘ）の方向にたわみ可能に配置されており、
ｄ．前記フェルール（７、２３）の少なくとも一方が、前記コネクタ軸線（４、ｘ）に対して横方向（ｙ、ｚ）にたわみ可能に配置されており、
ｅ．結合時に前記フェルール（７、２３）の粗位置合わせをするための第１の位置合わせ特徴部（２７）を備え、
ｆ．結合時に前記フェルール（７、２３）の微位置合わせをするための第２の位置合わせ特徴部（１５、３０）を備える、光コネクタ組立体（１）。
【請求項２】
粗位置合わせ用の前記位置合わせ特徴部（２７）が漏斗状入口開口部（２８）を有することを特徴とする、請求項１に記載の光コネクタ組立体（１）。
【請求項３】
微位置合わせ用の前記位置合わせ特徴部（１５、３０）が、案内ピン（１５）および対応する案内開口部（３０）を備えることを特徴とする、請求項１または２に記載の光コネクタ組立体（１）。
【請求項４】
微位置合わせ用の前記位置合わせ特徴部（１５、３０）が、粗位置合わせ用の前記位置合わせ特徴部（２７）の中に配置されていることを特徴とする、請求項１〜３のいずれか一項に記載の光コネクタ組立体（１）。
【請求項５】
横方向にたわみ可能な前記フェルール（２３）が保持スリーブ（２９）によって保持されており、前記保持スリーブ（２９）が変形可能な材料で作られており、かつ／または変形可能な構造を有することを特徴とする、請求項１〜４のいずれか一項に記載の光コネクタ組立体（１）。
【請求項６】
前記保持スリーブ（２９）がエネルギー吸収材料を含むことを特徴とする、請求項５に記載の光コネクタ組立体（１）。
【請求項７】
少なくとも１つのフェルール（７、２３）が圧着ネック（１０、２４）によって背後から直接または間接的に支持されていることを特徴とする、請求項１〜６のいずれか一項に記載の光コネクタ組立体（１）。
【請求項８】
ばね（９、１９）が前記圧着ネック（１０、２４）と前記フェルール（７、２３）との間に配置されていることを特徴とする、請求項１〜７のいずれか一項に記載の光コネクタ組立体（１）。
【請求項９】
前記ソケット（３）が係止リム（３２）を備え、前記プラグ（２）が係止リング（３３）を備え、前記係止リング（３３）が、前記プラグ（２）と前記ソケット（３）の結合時に背後で前記係止リム（３２）と係合することを特徴とする、請求項１〜８のいずれか一項に記載の光コネクタ組立体（１）。
【請求項１０】
圧着ネック（１０、２４）が上部分および下部分を備える２部分形態を有し、前記上部分および前記下部分が実装位置で光ファイバを取り囲んでいることを特徴とする、請求項１〜９のいずれか一項に記載の光コネクタ組立体（１）。
【請求項１１】
請求項１〜１０のいずれか一項に記載の光コネクタ組立体（１）に使用されるのに適したプラグ（２）。
【請求項１２】
請求項１〜１０のいずれか一項に記載の光コネクタ組立体（１）に使用されるのに適したソケット（３）。
【発明の詳細な説明】
【技術分野】
【０００１】
本発明は、少なくとも２本の光ファイバのための光コネクタ組立体に関する。
【背景技術】
【０００２】
従来技術から、１本または複数本の光ファイバを接続するための光コネクタが知られている。一部のコネクタは、コネクタ内部の光ファイバの位置ずれを補正する手段を備える。
【０００３】
Ｔｏｓｈｉｂａ  Ｃｏｒｐ．（株式会社東芝）に譲渡された米国特許第４７５９５９９号明細書は、１９８８年７月に最初に公開された。同明細書は、プラグとプラグが連結されるべき相手のアダプタとを含む光コネクタを対象としている。フローティングホルダ（ｆｌｏａｔｉｎｇ  ｈｏｌｄｅｒ）が、プラグ本体に対して任意の方向に可動となるようにプラグ本体内に配置される。ケーブルの光ファイバの端部が、ホルダによって支持されたフェルール（ｆｅｒｒｕｌｅ）に装着される。プラグがアダプタに連結されると、プラグ本体はプラグ本体取付部に装着され、ホルダはホルダ取付部に装着される。この時点で、プラグ本体は、ロック機構によってプラグ本体取付部にロックされ、ホルダは、ホルダ上の突出部と係合すること、および、ホルダ取付部内に形成され突出部に係合される穴と係合することにより、ホルダ取付部にロックされる。
【０００４】
Ｆｒａｍａｔｏｍｅ  Ｃｏｎｎｅｃｔｏｒｓ  Ｉｎｔ．に譲渡された米国特許出願公開第２００９０５２８４４号明細書は、２００６年４月に最初に公開された。同明細書は、フローティングフェルールを有するファイバ光コネクタを対象としている。少なくとも１本の光ファイバを固定するためのフェルールが前記通路内に配置され、前記フェルールは、ハウジングの相手側に関連する前部と、前記ハウジングの後側に関連する後部とを有する。フェルールは、フェルールの後部がフェルールの前部より大きい範囲で縦軸線に対して横方向に動くことができるように、前記ハウジング内に配置される。
【０００５】
Ｃｏｒｎｉｎｇ  Ｃａｂｌｅ  Ｓｙｓｔｅｍｓに譲渡された米国特許第６４１２９８８号明細書は、２００１年８月に最初に公開された。同明細書は、湾曲した角を有する肩を画定するフェルールを有する光ファイバコネクタを対象としている。それにより、ファイバ光コネクタは、押しのけられた状態になり内部空洞内でコック位置をとることなく、コネクタハウジングによって画定された内部空洞内で浮動することが可能になる。
【０００６】
Ｆｕｒｕｋａｗａ  Ｅｌｅｃｔｒｉｃ  Ｃｏ．Ｌｔｄ．（古河電気工業株式会社）に譲渡された米国特許出願公開第２００２１８６９３１号明細書は、２００２年１０月に最初に公開された。同明細書は、光コネクタ用ハウジングおよび光コネクタを対象としている。ハウジングに収容されているフェルールの位置は、対合フェルールに連結する前にハウジング内に一意的に決定される。対合フェルールに連結後、フェルールはハウジング内でフローティング状態になる。
【０００７】
Ｃｒａｆｔｓ  Ｉｎｃ．Ｃｏｍｐ．に譲渡された米国特許第６４５４４６４号明細書は、２００２年９月に最初に公開された。同明細書は、ハウジングに固定されたフェルールを有するオス光ファイバコネクタを記述している。フェルール対フェルールの位置合わせが、対合メスコネクタ内でフローティングフェルールによってもたらされる。
【０００８】
ＡＤＣ  Ｔｅｌｅｃｏｍｍｕｎｉｃａｔｉｏｎｓ  Ｉｎｃ．に譲渡された米国特許第７６８６５１９号明細書は、２００７年７月に最初に公開された。同明細書は、外部ハウジング、単一内部オス光ファイバコネクタ、および光ファイバアダプタを含むメスファイバ光コネクタを対象としている。外部ハウジングは、外部オスコネクタを受容するためのコネクタポートを画定する第２の端部とは反対側に配置された、光ファイバケーブルを受容する第１の端部を有する。光ファイバアダプタは外部ハウジング内に配置され、位置合わせスリーブを含み、外部オスコネクタのフェルールがコネクタポート内に挿入されると位置合わせスリーブ内にはまるように構成されている。
【０００９】
Ｉｎｔｅｒｌｅｍｏ  Ｈｏｌｄｉｎｇ  ＳＡに譲渡された欧州特許出願公開第０９９６００９号明細書は、２０００年４月に最初に公開された。同明細書は、ソケットシェル内に挿入されるプラグシェルを有するプリント回路板用ＤＩＮ４１６１２規格２パーツコネクタを備えるコネクタシステムを記述している。位置合わせスリーブが、前方プラグシェルインサート内に形成されたハウジングにフローティング状態で収容される。位置合わせスリーブは、２つの光ファイバオスコンタクトのフェルールが向かい合って位置合わせされるハウジングを可能にする。
【００１０】
ＩＴＴ  Ｃｏｒｐ．に譲渡された米国特許第５６０８８２８号明細書は、１９９７年３月に最初に公開された。同明細書は、ファイバ保持フェルールを取り囲むための位置合わせスリーブを有する光ファイバコネクタを記述している。スリーブは、わずかに位置ずれした対合フェルールを受容するためにたわむことができる。スリーブは、直径において拡張可能であり、スリーブを取り囲み前肩および後肩を形成するフード内に入れられる。フードはスリーブを緩く取り囲み、フードは、わずかに位置ずれした対合フェルールの受容を容易にするために、コネクタハウジング通路内に緩く入れられる。
【００１１】
Ｎｉｐｐｏｎ  Ｔｅｌｅｇｒａｐｈ  ａｎｄ  Ｔｅｌｅｐｈｏｎｅ  Ｃｏｒｐ．（日本電信電話株式会社）に譲渡された欧州特許出願公開第０９３６４８４号明細書は、１９９９年３月に最初に公開された。同明細書は、付勢手段によって突き合わせ連結方向に押しやられたハウジング内に収容された光コネクタフェルールを有して構造化された光コネクタを記述している。光コネクタフェルールが突き合わせ方向に動かされると、ストップガードは位置決め支持部内に収容され、位置付けられかつ支持される。ストップガードが位置決め支持部から解放されると、光コネクタフェルールがハウジング内で浮動することが可能になる。
【００１２】
ＵＳ  Ｃｏｎｅｃ  Ｌｔｄ．に譲渡された米国特許第６０８５００３号明細書は、２０００年１月に最初に公開された。同明細書は、大きな側面引張力に確実に耐えるように自由に動くフェルールを含む光ファイバコネクタを記述している。フェルールが自由に動くことを可能にするために、光ファイバコネクタは、フェルールおよびピンクランプを組み合わせたものとコネクタハウジングとの間に増大した遊びまたは間隔を設けることができる。コネクタハウジングの前方端の内側壁は、フェルールの前方部に追加の遊びを与えるように、縦断面が傾斜輪郭部または階段状輪郭部を有してもよい。
【発明の概要】
【発明が解決しようとする課題】
【００１３】
従来技術から知られているコネクタは複雑であることが多く、経時的に十分信頼できるものではない。したがって、本発明の一目的は、容易に組み立てられ、試験され、操作され得る競争力がありかつ信頼性の高いコネクタを提供することである。
【課題を解決するための手段】
【００１４】
従来技術とは異なり、本明細書で開示される本発明による光コネクタ組立体（光コネクタ組立体に使用されるべきプラグおよび対合コネクタまたは個々の部分）は、単純でロバストな費用効率の高い設計を可能にする。一般に、光コネクタ組立体は、軸線方向に互いに相互連結可能なプラグおよびソケットを備える。プラグはプラグハウジングを備え、第１のフェルールがプラグハウジング内に配置され、ソケットはソケットハウジングを備え、第２のフェルールがソケットハウジング内に配置される。フェルールの少なくとも一方は、ばねの力に逆らって軸線方向にたわみ可能に配置される。フェルールの少なくとも一方は、コネクタ軸線（縦方向）に対して横方向にたわみ可能にかつ／またはスイベル回転して配置される。
【００１５】
一般に、第１の位置合わせ特徴部および第２の位置合わせ特徴部が、プラグおよびソケットの対合時にフェルールを互いに対して位置合わせをするために存在する。通常、第１の位置合わせ特徴部は、第１のステップでフェルールを互いに対して粗位置合わせをするために予見される。第２の位置合わせ特徴部は、第２のステップでフェルールを互いに対して微位置合わせをするために予見される。粗位置合わせ用の位置合わせ特徴部が少なくとも部分的に漏斗状の入口開口部を有すると、良好な結果が得られる可能性がある。微位置合わせ用の位置合わせ特徴部は、少なくとも１つの案内ピンおよび少なくとも１つの対応する案内開口部を備えてもよい。横方向には、微位置合わせ用の位置合わせ特徴部は、粗位置合わせ用の位置合わせ特徴部の中に配置されてもよい。軸線方向には、微位置合わせ用の位置合わせ特徴部は、粗位置合わせ用の位置合わせ特徴部の背後に好ましくはプラグ差し込み方向に配置される。それにより、粗位置合わせ用の位置合わせ特徴部は、微位置合わせ用の位置合わせ特徴部が作動する前に互いに係合することが実現される。通常、粗位置合わせ用の位置合わせ特徴部および微位置合わせ用の位置合わせ特徴部は、互いに対してかつこれらの位置合わせ特徴部に関連するフェルールに対して剛性に配置される。
【００１６】
本発明の一実施形態では、横方向にたわみ可能なフェルールは、たわみ可能な保持スリーブによって保持され、たわみ可能な保持スリーブは、例えば、ゴムや発泡体などのエネルギー吸収変形可能な材料を含むかまたはこの材料で作られる。代替的にまたは加えて、保持スリーブは、１つまたは複数のばね要素を備える変形可能構造として、あるいは位置合わせ目的で所要の１方向または複数方向の変形を可能にする変形可能構造として設計される。上述した保持スリーブは、例えば動的応力や振動などの外的影響が上記材料によって効果的に吸収され、それによって信号の伝搬が改善されるという利点を提供する。
【００１７】
プラグおよびソケットのハウジングは、好ましくは金属または別の適切な材料で作られ、保持スリーブは、好ましくはプラスチック材料の射出成形によって作られる。保持スリーブは１つまたは複数の部分として作られてもよい。
【００１８】
好ましい一実施形態では、少なくとも１つのフェルールが圧着ネック（ｃｒｉｍｐ  ｎｅｃｋ）によって背後から直接または間接的に支持される。適切な場合、ばねが圧着ネックとフェルールとの間に配置されて、圧着ネックに対してフェルールを支持してもよい。適用分野に応じて、ばねは、別の特徴によって支持することができる。
【００１９】
好ましい一実施形態では、ソケットは係止リムを備え、プラグは係止リングを備え、係止リングは、プラグおよびソケットの結合時に背後で係止リムと係合する。代替的にまたは加えて、ねじ付き連結部またはバヨネットタイプの連結部が、プラグのハウジングおよびソケットのハウジングを相互連結しかつ互いに対してしっかりとロックすると予見され得る。
【００２０】
少なくとも１つの圧着ネックが、互いに対合する上部分および下部分を含む２部分形態を有してもよい。コネクタの組立て時に、上部分および下部分は光ケーブルの周りに組み付けられ、圧着ネック上に圧着された圧着スリーブによって固定される。
【００２１】
本発明によるコネクタは高チャネル密度および迅速な連結を提供する。本発明によるコネクタは、例えば、移動基地局内の無線リモートヘッド（ＲＲＨ）に関連して使用することができる。
【００２２】
本明細書に記載されている発明は、添付の特許請求の範囲に記載されている本発明に限定すると見なされるべきでない、下に本明細書に記載されている詳細な説明および添付図面からより十分に理解されるであろう。添付図面は下記の図を示している。
【図面の簡単な説明】
【００２３】
【図１】本発明によるプラグおよびソケットの第１の実施形態の斜視図である。
【図２】図１によるプラグおよびソケットの部分的に切開した形の図である。
【図３】図１によるプラグおよびソケットの分解図である。
【図４】本発明によるプラグおよびソケットの第２の実施形態の部分的に切開した形の斜視図である。
【図５】本発明によるプラグおよびソケットの第３の実施形態の分解図である。
【図６】図５によるプラグおよびソケットの上面図である。
【図７】図６による断面線ＤＤに沿って見た断面図である。
【発明を実施するための形態】
【００２４】
図１は、プラグ２およびソケット３を備える本発明によるコネクタ組立体１を示す。プラグ２およびソケット３は、互いに相互連結された結合態様で示されている。
【００２５】
図２は、プラグ２およびソケット３の内部が見えるように、図１による組立体を分解し部分的に切開した形で示している。
【００２６】
図３は、コネクタ組立体１の第１の実施形態の分解図を斜視的に示している。
【００２７】
図４は、本発明によるコネクタ組立体１の第２の実施形態を示している。プラグ２およびソケット３は、コネクタ軸線４に沿って互いに相互連結されている。
【００２８】
プラグ２は、図示の実施形態では、軸線方向（ｘ方向）に延びる開口部８を有するプラグハウジング（プラグのハウジング）５を備え、第１のリテーナ６がプラグハウジング５の中に配置される。
【００２９】
第１のフェルール７が、第１のばね９の力に逆らって軸線方向に変位可能に配置される。終端リテーナ６は、軸線方向変位中に第１のフェルール７用の案内手段として働いている。後端では、ばね９は、後端からプラグハウジングに挿入または装着された第１の圧着ネック１０によって直接または間接的に支持される。図示の実施形態では、第１の圧着ネック１０は、実装位置で第１のプラグハウジングの第１の溝１２にはめ込まれた第１のリテーナリング１１によって固定される。
【００３０】
第１のばね９は、内向きに配置された第１のリテーナ６の肩１４に第１のフェルール７の側方突出部１３を押し付ける。肩１４は第１のフェルール７のストッパとして働き、フェルール７がプラグハウジング５から落ちるのを妨げる。前端では、第１のフェルール７は、図示の実施形態では、後に詳述されるように、フェルール７をソケット３内に配置されたフェルール７の相対物に対して位置合わせするのに役立つ２つの案内ピン１５を備える。図示の実施形態では、第１のリテーナ６は剛性材料で作られる。第１のリテーナ６は、第１のフェルール７が軸線方向に変位可能になるように、第１のフェルール７を支持しかつ保持するように設計される。
【００３１】
ソケット３は、軸線方向に延びる開口部２１を有するソケットハウジング２０を備える。図示の実施形態では、ソケットハウジング２０は取付板２２を備え、ソケット３は、例えば装置のハウジング（詳細には図示せず）に取付板２２で固定することができる。開口部２１の中には、第２のフェルール２３が、本明細書に記載されているように、横方向にたわみ可能であり（ｙ方向、ｚ方向）かつ／またはそれぞれスイベル回転するように配置される。支持体は、第２のフェルール２３が、プラグ２およびソケット３の結合時に、プラグ２内に配置された第１のフェルール７の向きおよび位置に適応することができるように設計される。逆の配置も可能である。
【００３２】
図示の実施形態では、フェルール７、２３は、互いに一致する、高チャネル密度を有する両側マルチチャネルフェルールであるすなわち、マルチチャネルフェルール７、２３は、複数の光ファイバ、例えば２本、６本もしくは１２本または他の数の光ファイバ（詳細には図示せず）を保持しかつ支持し、プラグ２およびソケット３が相互連結されたときに光ファイバが互いに正確に接続されることを保証する。
【００３３】
ソケット３において、第２のフェルール２３は、第２の圧着ネック２４によって背後から直接または間接的に支持される。図示の実施形態では、第２の圧着ネック２４は、ソケットハウジング２０の後端から開口部２１内に挿入され、第２の溝２６内に配置された第２のリテーナリング２５によって固定される。第２のフェルール２３の支持は、第２のフェルールがソケットハウジング２０内で一定の範囲内でたわみかつ／またはスイベル回転することができるので、特に結合時に第１のフェルール７と第２のフェルール２３との間の一定の位置ずれが補正され得るようなものである。第１のフェルール７と第２のフェルール２３との間の長手方向の調整および必要な接触圧力は、少なくとも一方のフェルールがばね９の力に逆らって変位可能に配置されることで達成される。
【００３４】
第２のフェルール２３の支持は、図示の実施形態では以下の通り達成される。第２のフェルール２３は、実装位置で位置合わせスリーブ２７によって取り囲まれ、位置合わせスリーブ２７は、この場合は穿孔曲げシートメタルで作られている。位置合わせスリーブ２７は長方形の漏斗状入口開口部２８を有し、例えば、ゴムおよび／または発泡体などの弾性材料で作られた保持スリーブ２９内に配置される。保持スリーブ２９は、第２のフェルール２３用のリテーナとして働く。入口開口部２８は、例えば、必要に応じて円形または他の形状を有することができる。保持スリーブ２９に必要な可撓性は、代替的にまたは追加として、保持スリーブ２９の構造によって達成することができる。保持スリーブ２９は、一体部品として製作されてもよく、または複数の部品／要素から構成されてもよい。例えば、保持スリーブ２９は、１つまたは複数のばね要素を備えていてもよく、ばね要素は、運転中にフェルール７、２３を位置付けかつ位置合わせするのに役立つ。上述した保持スリーブは、特にゴムおよび／または発泡体で作られた要素を備える場合、例えば動的応力や振動などの外的影響が効果的に吸収され、それによって信号の伝搬が改善されるという利点を提供する。
【００３５】
図１〜図３に示されている実施形態では、第２のフェルール２３の後端は第２の圧着ネック２４によって支持され、それによって軸線方向の望まれない変位を妨げる。しかし、横方向の動きは否定的な方法では影響を受けない。
【００３６】
第２のフェルール２３は前側に２つの案内穴３０を備え、案内穴３０は、コネクタ部分２、３の結合時に第１のフェルール７の前部にある案内ピン１５が挿入される。
【００３７】
ソケットハウジング２０は円筒形管状部分３１を備え、円筒形管状部分３１の外側には、本明細書では係止リム３２の形をとる保持手段を備える。この実施形態では、係止リム３２は、縦方向に対して第２のフェルール２３と同じレベルに配置される。
【００３８】
プラグハウジング５の開口部８は、前端において、開口部８がソケット３の管状部分３１を受容しかつ管状部分３１と正確に一致するように形状が定められる。プラグ２は拡張可能な係止リング３３をさらに備え、係止リング３３は、図１および図４に示されているロック位置でソケット２の係止リム３２と相互作用する。係止リング３３は半径方向に拡張可能であり、プラグ２がソケット３内に挿入されたときに背後で係止リム３２と係合する。ソケット３からプラグ２を解放するには、ブッシング３４が予見され、ブッシング３４はプラグ２の開口部８内に達し、そこでロック解除目的で係止リング３３と相互作用し得る。このブッシング３４は軸線方向に摺動可能に配置される。係止リング３３を後方向に引っ張ることにより、開口部８内に達しているブッシング３４の一部は係止リング３３と相互作用し、それによって係止リング３３を半径方向に広げ、それによって係止リム３２は解放される。
【００３９】
結合する場合、プラグ２の開口部８は、第１のステップで、ソケット３の管状部分３１の上で動かされる。開口部８および管状部分３１の幾何形状により、ハウジング５、２０は互いに対して軸線方向に位置合わせされる。第２のステップで、プラグ２を内側のソケット３の方向に押すことにより、第１のフェルール７は、位置合わせスリーブ２７と接触して漏斗状入口開口部２８を形成し、それによって第２段階で予め位置合わせされる（粗位置合わせ）（第１段階の位置合わせは、プラグ２のハウジング５とソケット３のハウジング２０との間の相互作用によって行われる）。第３のステップで、案内ピン１５は案内穴３０に押し込まれる（第３段階の位置合わせ）。それによって精度がさらに増す。第４のステップで、フェルール７、２３は、フェルール７、２３の前面、または光ファイバの端面（共に図示せず）が互いに押し付けられて、情報がインタフェースを横切って伝達され得るようになるまで、互いに対して動かされる。
【００４０】
プラグ２とソケット３との間の望まれない回転を妨げるために、管状部分は、互いに対向して配置された２つの切込み３５を備え、２つの切込み３５は、プラグ２およびソケット３の結合時に、プラグハウジング５の開口部８内のリテーナ６の外面に配置された２つの対応する鼻３６と合致する。
【００４１】
図３は、図１および図２によるコネクタの分解図を示す。プラグ２およびソケット３の組立プロセスは中心軸線４に沿って行われる。プラグ２およびソケット３の相互連結プロセスは点線１８で概略的に示されている。
【００４２】
図４は、本発明による光コネクタ組立体１の第２の実施形態を示す。主なセットアップおよび運転に関しては、図１〜図３に示され記載されている実施形態に関連して行われた説明を参照されたい。上述した実施形態とは異なり、図４に示されている実施形態では、第２のフェルール２３は、横方向（ｙ方向、ｚ方向）にだけでなく、第２のばね１９の力に逆らって縦方向（ｘ方向）にもたわみ可能に配置される。第１のばね９および第２のばね１９は共に、第１のばね９および第２のばね１９の後端で、第１の圧着ネック１０および第２の圧着ネック２４によって支持される。横方向の定義済みスイベル回転での動きは、上述したように保持スリーブ２９によってもたらされる。
【００４３】
図５は、光コネクタ組立体１の第３の実施形態を分解された形で示す。図６は、光コネクタ組立体１の上面図を示す。図７は、図６による断面線ＤＤに沿って見た断面図を示す。この実施形態にも同様に適用する原理説明に関しては、上記説明を参照されたい。前述の第１および第２の実施形態とは異なり、光コネクタ組立体１は外部ケーシング３７をさらに備え、外部ケーシング３７は、組立位置でプラグ２のハウジング５を取り囲む。さらに、第１の圧着スリーブ３８が見えるが、第１の圧着スリーブ３８は、図７に示されている組立位置で第１の圧着ネック１０に着座し、第１の圧着スリーブ３８と第１の圧着ネック１０との間にケーブル（図示せず）の外装をクランプ締めする。またこの実施形態では、プラグ２の圧着ネック１０およびソケット３の圧着ネック２４は、実装位置で光ファイバを取り囲む上部分および下部分を含む２部分形態を有する。第１の圧着ネック１０の上部分１０．１および下部分１０．２と第２の圧着ネック２４の上部分２４．１および下部分２４．２との組み立ては点線で示されている。第２の圧着スリーブ３９があり、第２の圧着スリーブ３９は、組立位置で第２の圧着ネック２４に着座し、第２の圧着スリーブ３９と第２の圧着ネック２４との間にケーブル（図示せず）の外装をクランプ締めする。さらに、曲げ保護４０があり、曲げ保護４０は第２の圧着スリーブ３９を覆って押され、上述したケーブルを保護する。カバー４１が組立位置でプラグ２の前端に着座し、コネクタ組立体１を環境から保護する。図６および図７には、外部ケーシング３７、第１の圧着スリーブ３８、第２の圧着スリーブ３９、曲げ保護４０、ならびにカバー４１は示されていない。
【００４４】
結合する場合、プラグ２の開口部８は、第１のステップで、ソケット３の管状部分３１の上で動かされる。開口部８および管状部分３１の幾何形状により、ハウジング５、２０、第１のフェルール７、および第２のフェルール２３は互いに対して軸線方向に位置合わせされる（粗位置合わせ）。方向付けは、切込み３５および鼻３６の相互作用によって確保される。第２段階で、案内ピン１５は案内穴３０に押し込まれる。それによって精度がさらに増す。別のステップで、フェルール７、２３は、フェルール７、２３の前面、または光ファイバの端面（詳細には図示せず）が互いに押し付けられて、情報がインタフェースを横切って伝達され得るようになるまで、互いに対して動かされる。フェルール７、２３の前面、または光ファイバの端面が互いに押し付けられる力は、主に第１のばね９および第２のばね１９の圧縮に依存する。
【００４５】
シール４２が、プラグ２のハウジング５の開口部８の内側の周囲切込み４３内に配置される。図４に示されている結合位置では、シール４２はソケット３の管状部分３１と相互作用し、それによってコネクタの内部を環境に対して封止する。
【００４６】
むしろ、本明細書に使用されている語は、限定語ではなく叙述語であり、様々な変更が本発明の精神および範囲から逸脱することなくなされ得ることが理解されよう。
【符号の説明】
【００４７】
１…コネクタ組立体、２…プラグ、３…ソケット、４…コネクタの軸線（ｘ軸）、５…ハウジング（プラグ）、６…第１のリテーナ（終端用）、７…第１のフェルール、８…開口部（プラグハウジング）、９…第１のばね、１０…第１の圧着ネック（１０．１…上部分、１０．２…下部分）、１１…第１のリテーナリング、１２…第１の溝、１３…側方突出部、１４…肩、１５…案内ピン、１６…第１のフェルールブーツ、１７…第２のフェルールブーツ、１８…点線、１９…第２のばね、２０…ハウジング（ソケット）、２１…開口部（ソケットハウジング）、２２…取付板、２３…第２のフェルール、２４…第２の圧着ネック（２４．１…上部分、２４．２…下部分）、２５…第２のリテーナリング、２６…第２の溝、２７…位置合わせスリーブ、２８…（位置合わせスリーブの）入口開口部、２９…保持スリーブ（終端用第２のリテーナ）、３０…案内穴、３１…管状部分（ソケットハウジング）、３２…係止リム、３３…係止リング、３４…ブッシング（ロック解除用）、３５…切込み（管状部分）、３６…鼻（終端用リテーナ）、３７…外部ケーシング（プラグ）、３８…第１の圧着スリーブ、３９…第２の圧着スリーブ、４０…曲げ保護、４１…カバー、４２…シール、４３…周囲切込み。
【図１】
2016514863.tif 000003
【図２】
2016514863.tif 000004
【図３】
2016514863.tif 000005
【図４】
2016514863.tif 000006
【図５】
2016514863.tif 000007
【図６】
2016514863.tif 000008
【図７】
2016514863.tif 000009
【国際調査報告】
2016514863.tif 000010
2016514863.tif 000011
2016514863.tif 000012